(57)【要約】      （修正有）【課題】ネックレスをよりよく展示し、より良い観賞展示効果を図るネックレスラッピングケースを提供する。【解決手段】ラッピングケース１及びネックレスを置く収納チャンバ２を含み、前記ラッピングケースの上側にはケース蓋１０が設置され、前記ケース蓋と前記ラッピングケースとの間が回転軸により連結され、前記ケース蓋の中には下へ開口しており、且つネックレスを収納できる収納溝１５が設置される。収納チャンバ２の中には旋転機構３４、下端壁の中には回転機構３３が設置されケース蓋を開けた後、前記旋転機構と前記回転機構の作動によりケースにあるネックレスを明かりで照らす。【選択図】図１
2020175103.tif 000002
【特許請求の範囲】
【請求項１】
ラッピングケース及びネックレスを置く収納チャンバを含み、前記ラッピングケースの上側にはケース蓋が設置され、前記ケース蓋と前記ラッピングケースとの間が回転軸により連結され、前記ケース蓋の中には下へ開口しており、且つネックレスを収納できる収納溝が設置され、前記収納チャンバの中には旋転機構が設置され、前記旋転機構は前記収納チャンバの下端壁に固定されている支持柱を含み、前記支持柱の上側にはネックレスを支持できる支持ブロックが設置され、前記支持ブロックの中には下方へ開口した支持溝が設置され、前記支持柱の上端が前記支持溝の中に位置しており、且つ前記支持柱の上端には前記支持ブロックと連結されている支持ばねが固定的に連結され、前記支持ブロックの中にはまた外部空間に連通している環状スライド溝が設置され、前記環状スライド溝の中には二つの押出板が設置され、前記環状スライド溝の下端壁には二つの固定ブロックが固定されており、前記固定ブロックの一端には前記押出板と連結されており、且つ前記押出板を連動させて復帰させることができる復帰ばねが固定的に連結され、前記収納チャンバの中には回転でき、且つ前記支持柱を中心とする円筒が設置され、前記円筒の中には上方へ開口した環状昇降チャンバが設置され、前記環状昇降チャンバの片側端壁の中には前記環状昇降チャンバと前記環状スライド溝とを連通している二つの移動溝が設置され、前記移動溝の中には一端が前記移動溝に位置しており、且つ前記支持ブロックを制御して昇降させることができるダブルヘッド円錐ブロックが設置され、前記ダブルヘッド円錐ブロックのもう一端が前記環状昇降チャンバに位置しており、前記収納チャンバの下端壁の中には回転機構が設置され、前記回転機構は下方へ開口した回転溝を含み、前記支持柱の中には発条チャンバが設置され、前記発条チャンバの中には下端が前記回転溝に位置している発条軸が設置され、前記発条軸の上端には前記発条軸を連動させて回転させることができる発条ケースが設置され、前記発条チャンバの端壁の中には前記収納チャンバに連通している環状スライドチャンバが設置され、前記環状スライドチャンバの上下端壁にはいずれも前記環状スライドチャンバに連通している環状リミットチャンバが設置され、前記環状スライドチャンバの中には前記環状スライドチャンバにより切断された上下二つの部分の前記支持柱を支持する二つのスライドブロックが設置され、前記スライドブロックの上下両端にはいずれも一端が前記環状リミットチャンバの中に位置しているリミットブロックが設置され、前記発条軸には前記環状スライドチャンバを貫通しており、且つ前記収納チャンバの中に位置している二本の伝動ロッドが固定的に連結され、上側の前記環状リミットチャンバの上端壁の中には四つの電磁チャンバが設置され、前記電磁チャンバの中には電磁ロッドが設置され、下側の前記環状リミットチャンバの下端壁の中には前記電磁ロッドと互いに吸引できることにより上下二つの部分の前記支持柱を相対的に固定する四つの電磁ブロックが設置され、その作用は前記ケース蓋を開けた後、前記旋転機構と前記回転機構との作動し合いによりケースにあるネックレスを明かりで照らすのであることを特徴とするネックレスラッピングケース。
【請求項２】
前記旋転機構はまた、前記環状昇降チャンバの中に位置しており、且つ彩光を生じることができる四つのランプを含み、前記環状昇降チャンバの中には前記ランプを支持できる環状昇降板が設置され、前記ランプの下端には前記環状昇降板と連結されている連結柱が設置され、前記環状昇降板の中には下方へ開口した環状移動チャンバが設置され、前記環状昇降板の下端には前記環状昇降板を連動させて復帰させることができる四つの昇降ばねが設置され、前記環状昇降チャンバの下端壁には環状従動チャンバが設置され、前記収納チャンバの中には前記円筒と連結されているリング板が設置され、前記リング板が前記支持柱とスライドできるように連結され、且つ前記リング板が前記伝動ロッドの一端と固定的に連結され、前記旋転機構の作用は、前記ケース蓋を開けた後、前記ランプを前記環状昇降チャンバから離れさせ、且つ前記回転機構の制御のもとで前記ランプを回転させることであることを特徴とする請求項１に記載のネックレスラッピングケース。
【請求項３】
前記回転機構はまた前記発条軸の下端と連結される回転板を含み、前記回転板の右端には右方へ開口したリミット溝が設置され、前記回転溝の右端壁には左方へ開口した水平移動チャンバが設置され、前記水平移動チャンバの下端壁には下方へ開口した水平移動溝が設置され、前記水平移動チャンバの中には左端が前記リミット溝の中に位置しており、且つ前記回転板の回転を制限する水平移動ロッドが設置され、前記水平移動ロッドの右端には下端が前記水平移動溝の中に位置している水平移動ブロックが設置され、前記収納チャンバの下端壁には上へ開口しており、且つ前記環状従動チャンバに連通している制限溝が設置され、前記制限溝の中には上端が前記環状従動チャンバを貫通しており、且つ前記環状移動チャンバの中に位置している制限ロッドが設置され、前記制限ロッドの上端には移動ブロックが設置され、前記制限ロッドの下端には下端が前記水平移動ロッドの右端と連結されているロープが設置され、その作用は前記旋転機構の回転に動力を提供することであることを特徴とする請求項１に記載のネックレスラッピングケース。
【発明の詳細な説明】
【技術分野】
【０００１】
本発明はラッピング分野を取り上げて、具体的にはネックレスラッピングケースである。
【背景技術】
【０００２】
現在、人々がプレゼントする時、特にネックレスなどの貴重品を贈る時、いいラッピングケースが贈る物をよりよく展示することができ、しかし、今までのほとんどのラッピングケースは収納保存の機能だけを持っており、物の魅力をよく示すことができなく、展示効果が普通である。
【先行技術文献】
【特許文献】
【０００３】
【特許文献１】中国特許出願公開第106666972号明細書
【発明の概要】
【発明が解決しようとする課題】
【０００４】
本発明はネックレスラッピングケースを提供し、上記背景技術において提出された問題を解決することを目的とする。
【課題を解決するための手段】
【０００５】
上記の目的を実現するために、本発明は以下の技術プランを提供する：ネックレスラッピングケースであり、ラッピングケース及びネックレスを置く収納チャンバを含み、前記ラッピングケースの上側にはケース蓋が設置され、前記ケース蓋と前記ラッピングケースとの間が回転軸により連結され、前記ケース蓋の中には下へ開口しており、且つネックレスを収納できる収納溝が設置され、前記収納チャンバの中には旋転機構が設置され、前記旋転機構は前記収納チャンバの下端壁に固定されている支持柱を含み、前記支持柱の上側にはネックレスを支持できる支持ブロックが設置され、前記支持ブロックの中には下方へ開口した支持溝が設置され、前記支持柱の上端が前記支持溝の中に位置しており、且つ前記支持柱の上端には前記支持ブロックと連結されている支持ばねが固定的に連結され、前記支持ブロックの中にはまた外部空間に連通している環状スライド溝が設置され、前記環状スライド溝の中には二つの押出板が設置され、前記環状スライド溝の下端壁には二つの固定ブロックが固定されており、前記固定ブロックの一端には前記押出板と連結されており、且つ前記押出板を連動させて復帰させることができる復帰ばねが固定的に連結され、前記収納チャンバの中には回転でき、且つ前記支持柱を中心とする円筒が設置され、前記円筒の中には上方へ開口した環状昇降チャンバが設置され、前記環状昇降チャンバの片側端壁の中には前記環状昇降チャンバと前記環状スライド溝とを連通している二つの移動溝が設置され、前記移動溝の中には一端が前記移動溝に位置しており、且つ前記支持ブロックを制御して昇降させることができるダブルヘッド円錐ブロックが設置され、前記ダブルヘッド円錐ブロックのもう一端が前記環状昇降チャンバに位置しており、前記収納チャンバの下端壁の中には回転機構が設置され、前記回転機構は下方へ開口した回転溝を含み、前記支持柱の中には発条チャンバが設置され、前記発条チャンバの中には下端が前記回転溝に位置している発条軸が設置され、前記発条軸の上端には前記発条軸を連動させて回転させることができる発条ケースが設置され、前記発条チャンバの端壁の中には前記収納チャンバに連通している環状スライドチャンバが設置され、前記環状スライドチャンバの上下端壁にはいずれも前記環状スライドチャンバに連通している環状リミットチャンバが設置され、前記環状スライドチャンバの中には前記環状スライドチャンバにより切断された上下二つの部分の前記支持柱を支持する二つのスライドブロックが設置され、前記スライドブロックの上下両端にはいずれも一端が前記環状リミットチャンバの中に位置しているリミットブロックが設置され、前記発条軸には前記環状スライドチャンバを貫通しており、且つ前記収納チャンバの中に位置している二本の伝動ロッドが固定的に連結され、上側の前記環状リミットチャンバの上端壁の中には四つの電磁チャンバが設置され、前記電磁チャンバの中には電磁ロッドが設置され、下側の前記環状リミットチャンバの下端壁の中には前記電磁ロッドと互いに吸引できることにより上下二つの部分の前記支持柱を相対的に固定する四つの電磁ブロックが設置され、その作用は前記ケース蓋を開けた後、前記旋転機構と前記回転機構との作動し合いによりケースにあるネックレスを明かりで照らすのである。
【０００６】
好ましくは、前記旋転機構はまた、前記環状昇降チャンバの中に位置しており、且つ彩光を生じることができる四つのランプを含み、前記環状昇降チャンバの中には前記ランプを支持できる環状昇降板が設置され、前記ランプの下端には前記環状昇降板と連結されている連結柱が設置され、前記環状昇降板の中には下方へ開口した環状移動チャンバが設置され、前記環状昇降板の下端には前記環状昇降板を連動させて復帰させることができる四つの昇降ばねが設置され、前記環状昇降チャンバの下端壁には環状従動チャンバが設置され、前記収納チャンバの中には前記円筒と連結されているリング板が設置され、前記リング板が前記支持柱とスライドできるように連結され、且つ前記リング板が前記伝動ロッドの一端と固定的に連結され、前記旋転機構の作用は、前記ケース蓋を開けた後、前記ランプを前記環状昇降チャンバから離れさせ、且つ前記回転機構の制御のもとで前記ランプを回転させることである。
【０００７】
好ましくは、前記回転機構はまた前記発条軸の下端と連結される回転板を含み、前記回転板の右端には右方へ開口したリミット溝が設置され、前記回転溝の右端壁には左方へ開口した水平移動チャンバが設置され、前記水平移動チャンバの下端壁には下方へ開口した水平移動溝が設置され、前記水平移動チャンバの中には左端が前記リミット溝の中に位置しており、且つ前記回転板の回転を制限する水平移動ロッドが設置され、前記水平移動ロッドの右端には下端が前記水平移動溝の中に位置している水平移動ブロックが設置され、前記収納チャンバの下端壁には上へ開口しており、且つ前記環状従動チャンバに連通している制限溝が設置され、前記制限溝の中には上端が前記環状従動チャンバを貫通しており、且つ前記環状移動チャンバの中に位置している制限ロッドが設置され、前記制限ロッドの上端には移動ブロックが設置され、前記制限ロッドの下端には下端が前記水平移動ロッドの右端と連結されているロープが設置され、その作用は前記旋転機構の回転に動力を提供することである。
【発明の効果】
【０００８】
本発明の有益効果は：本発明は構成が簡単で、操作が便利で、機械の伝動により、発条の作用のもとで、ネックレスラッピングケースを開ける時、明かりが回転してネックレスを照らし、これによりネックレスをよりよく展示し、より良い観賞展示効果を図る。
【図面の簡単な説明】
【０００９】
本発明の実施例または従来技術における技術プランをもっとはっきり説明するために、以下は実施例または従来技術を説明する時に必要な付図を簡単に紹介する。一目でわかることは下記の説明の中の附図はただ本発明のいくつかの実施例で、本領域の普通技術者にとって、創造的な労働を払わないことを前提に、これらの附図に基づいてそのほかの附図を得ることができ、以下に図１〜４を交えて本発明について詳しく説明する。便利に叙述するために、後文に出る方位を下記の通りに規定する：後文に出る上下左右前後方向は図１本体の投影関係の上下左右前後方向と一致する。
【００１０】
【図１】図１は本発明のネックレスラッピングケースの全体断面の正面構成模式図
【図２】図２は本発明のネックレスラッピングケースの全体断面の左側面拡大構成模式図
【図３】図３は本発明のネックレスラッピングケースの支持板の全体断面の左側面拡大構成模式図
【図４】図４は本発明のネックレスラッピングケースの制御機構の部分断面の正面拡大構成模式図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。    
【００１２】
図１〜４を参照し、本発明の実施例は：ネックレスラッピングケースであり、ラッピングケース１及びネックレスを置く収納チャンバ２を含み、前記ラッピングケース１の上側にはケース蓋１０が設置され、前記ケース蓋１０と前記ラッピングケース１との間が回転軸３５により連結され、前記ケース蓋１０の中には下へ開口しており、且つネックレスを収納できる収納溝１５が設置され、前記収納チャンバ２の中には旋転機構３４が設置され、前記旋転機構３４は前記収納チャンバ２の下端壁に固定されている支持柱１８を含み、前記支持柱１８の上側にはネックレスを支持できる支持ブロック３６が設置され、前記支持ブロック３６の中には下方へ開口した支持溝１７が設置され、前記支持柱１８の上端が前記支持溝１７の中に位置しており、且つ前記支持柱１８の上端には前記支持ブロック３６と連結されている支持ばね１６が固定的に連結され、前記支持ブロック３６の中にはまた外部空間に連通している環状スライド溝１４が設置され、前記環状スライド溝１４の中には二つの押出板１９が設置され、前記環状スライド溝１４の下端壁には二つの固定ブロック４５が固定されており、前記固定ブロック４５の一端には前記押出板１９と連結されており、且つ前記押出板１９を連動させて復帰させることができる復帰ばね２０が固定的に連結され、前記収納チャンバ２の中には回転でき、且つ前記支持柱１８を中心とする円筒３が設置され、前記円筒３の中には上方へ開口した環状昇降チャンバ５が設置され、前記環状昇降チャンバ５の片側端壁の中には前記環状昇降チャンバ５と前記環状スライド溝１４とを連通している二つの移動溝１２が設置され、前記移動溝１２の中には一端が前記移動溝１２に位置しており、且つ前記支持ブロック３６を制御して昇降させることができるダブルヘッド円錐ブロック１３が設置され、前記ダブルヘッド円錐ブロック１３のもう一端が前記環状昇降チャンバ５に位置しており、前記収納チャンバ２の下端壁の中には回転機構３３が設置され、前記回転機構３３は下方へ開口した回転溝２６を含み、前記支持柱１８の中には発条チャンバ３９が設置され、前記発条チャンバ３９の中には下端が前記回転溝２６に位置している発条軸４１が設置され、前記発条軸４１の上端には前記発条軸４１を連動させて回転させることができる発条ケース４０が設置され、前記発条チャンバ３９の端壁の中には前記収納チャンバ２に連通している環状スライドチャンバ３８が設置され、前記環状スライドチャンバ３８の上下端壁にはいずれも前記環状スライドチャンバ３８に連通している環状リミットチャンバ３７が設置され、前記環状スライドチャンバ３８の中には前記環状スライドチャンバ３８により切断された上下二つの部分の前記支持柱１８を支持する二つのスライドブロック４３が設置され、前記スライドブロック４３の上下両端にはいずれも一端が前記環状リミットチャンバ３７の中に位置しているリミットブロック４４が設置され、前記発条軸４１には前記環状スライドチャンバ３８を貫通しており、且つ前記収納チャンバ２の中に位置している二本の伝動ロッド４２が固定的に連結され、上側の前記環状リミットチャンバ３７の上端壁の中には四つの電磁チャンバ５０が設置され、前記電磁チャンバ５０の中には電磁ロッド５１が設置され、下側の前記環状リミットチャンバ３７の下端壁の中には前記電磁ロッド５１と互いに吸引できることにより上下二つの部分の前記支持柱１８を相対的に固定する四つの電磁ブロック５２が設置され、その作用は前記ケース蓋１０を開けた後、前記旋転機構３４と前記回転機構３３との作動し合いによりケースにあるネックレスを明かりで照らすのである。
【００１３】
有益的には、前記旋転機構３４はまた、前記環状昇降チャンバ５の中に位置しており、且つ彩光を生じることができる四つのランプ９を含み、前記環状昇降チャンバ５の中には前記ランプ９を支持できる環状昇降板７が設置され、前記ランプ９の下端には前記環状昇降板７と連結されている連結柱８が設置され、前記環状昇降板７の中には下方へ開口した環状移動チャンバ１１が設置され、前記環状昇降板７の下端には前記環状昇降板７を連動させて復帰させることができる四つの昇降ばね６が設置され、前記環状昇降チャンバ５の下端壁には環状従動チャンバ４が設置され、前記収納チャンバ２の中には前記円筒３と連結されているリング板２５が設置され、前記リング板２５が前記支持柱１８とスライドできるように連結され、且つ前記リング板２５が前記伝動ロッド４２の一端と固定的に連結され、前記旋転機構３４の作用は、前記ケース蓋１０を開けた後、前記ランプ９を前記環状昇降チャンバ９から離れさせ、且つ前記回転機構３３の制御のもとで前記ランプ９を回転させることである。
【００１４】
有益的には、前記回転機構３３はまた前記発条軸４１の下端と連結される回転板２７を含み、前記回転板２７の右端には右方へ開口したリミット溝２８が設置され、前記回転溝２６の右端壁には左方へ開口した水平移動チャンバ３２が設置され、前記水平移動チャンバ３２の下端壁には下方へ開口した水平移動溝３１が設置され、前記水平移動チャンバ３２の中には左端が前記リミット溝２８の中に位置しており、且つ前記回転板２７の回転を制限する水平移動ロッド２９が設置され、前記水平移動ロッド２９の右端には下端が前記水平移動溝３１の中に位置している水平移動ブロック３０が設置され、前記収納チャンバ２の下端壁には上へ開口しており、且つ前記環状従動チャンバ４に連通している制限溝２３が設置され、前記制限溝２３の中には上端が前記環状従動チャンバ４を貫通しており、且つ前記環状移動チャンバ１１の中に位置している制限ロッド２２が設置され、前記制限ロッド２２の上端には移動ブロック２１が設置され、前記制限ロッド２２の下端には下端が前記水平移動ロッド２９の右端と連結されているロープ２４が設置され、その作用は前記旋転機構３の回転に動力を提供することである。
【００１５】
以下、出願人は付図１−４及び上記の本出願のネックレスラッピングケースの具体的な構成を参照して本出願のネックレスラッピングケースの使用方法を詳しく紹介する：
【００１６】
ケース蓋１０を開け、環状昇降板７が昇降ばね６の作用のもとで上昇し、ランプ９を外部空間に位置させ、同時にダブルヘッド円錐ブロック１３が環状昇降板７の制限を失い、押出板１９と復帰ばね２０の作用のもとで前記環状昇降チャンバ５に向かって運動し、これにより支持ブロック１８が支持ばね１６の作用のもとで下降し、ランプ９をネックレスに正対させ、同時に環状昇降板７が上昇し、制限ロッド２２と移動ブロック２１とを連動させて上昇させ、ロープ２４の伝動により水平移動ロッド２９の左端をリミット溝２８から離れさせ、発条ケース４０が作動し、これにより発条軸４１と伝動ロッド４２を回転させ、これによりリング板２５と円筒３とを連動させて回転させ、これによりランプ９が回転しながら照らしており、ネックレスをよりよく展示する。
【００１７】
伝動ロッド４２が回転する時、二本の電磁ロッド５１が電磁ブロック５２と終始連結されており、上下二つの部分の支持柱１８が相対的に固定されることを保証し、発条が回転し終わった後、ダブルヘッド円錐ブロック１３の一端が押出板１９に正対し、装置を復帰させる時、ケース蓋１０を閉め、ランプ９と環状昇降板７を下降させ、昇降ばね６が圧縮され、ダブルヘッド円錐ブロック１３が運動して復帰ばね２０を引っ張り、押出板１９が移動し、支持ブロック３６が上昇し、環状昇降板７の下降により、制限ロッド２２が下降し、ロープ２４が緩み、再び回転板２７を回転させて発条軸４１を連動させて回転させ、これにより発条ケース４０をしっかり巻き、しっかり巻いた後で水平移動ブロック３０を移動させて水平移動ロッド２９の左端をリミット溝２８の中に位置させて回転板２７の回転を制限し、ロープ２４が再び引き締められ、装置が復帰する。
【００１８】
本発明の有益効果は：本発明は構成が簡単で、操作が便利で、機械の伝動により、発条の作用のもとで、ネックレスラッピングケースを開ける時、明かりが回転してネックレスを照らし、これによりネックレスをよりよく展示し、より良い観賞展示効果を図る。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175103.tif 000003
【図２】
2020175103.tif 000004
【図３】
2020175103.tif 000005
【図４】
2020175103.tif 000006
【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
ラッピングケース及びネックレスを置く収納チャンバを含み、前記ラッピングケースの上側にはケース蓋が設置され、前記ケース蓋と前記ラッピングケースとの間が回転軸により連結され、前記ケース蓋の中には下へ開口しており、且つネックレスを収納できる収納溝が設置され、前記収納チャンバの中には旋転機構が設置され、前記旋転機構は前記収納チャンバの下端壁に固定されている支持柱を含み、前記支持柱の上側にはネックレスを支持できる支持ブロックが設置され、前記支持ブロックの中には下方へ開口した支持溝が設置され、前記支持柱の上端が前記支持溝の中に位置しており、且つ前記支持柱の上端には前記支持ブロックと連結されている支持ばねが固定的に連結され、前記支持ブロックの中にはまた外部空間に連通している環状スライド溝が設置され、前記環状スライド溝の中には二つの押出板が設置され、前記環状スライド溝の下端壁には二つの固定ブロックが固定されており、前記固定ブロックの一端には前記押出板と連結されており、且つ前記押出板を連動させて復帰させることができる復帰ばねが固定的に連結され、前記収納チャンバの中には回転でき、且つ前記支持柱を中心とする円筒が設置され、前記円筒の中には上方へ開口した環状昇降チャンバが設置され、前記環状昇降チャンバの片側端壁の中には前記環状昇降チャンバと前記環状スライド溝とを連通している二つの移動溝が設置され、前記移動溝の中には一端が前記移動溝に位置しており、且つ前記支持ブロックを制御して昇降させることができるダブルヘッド円錐ブロックが設置され、前記ダブルヘッド円錐ブロックのもう一端が前記環状昇降チャンバに位置しており、前記収納チャンバの下端壁の中には回転機構が設置され、前記回転機構は下方へ開口した回転溝を含み、前記支持柱の中には発条チャンバが設置され、前記発条チャンバの中には下端が前記回転溝に位置している発条軸が設置され、前記発条軸の上端には前記発条軸を連動させて回転させることができる発条ケースが設置され、前記発条チャンバの端壁の中には前記収納チャンバに連通している環状スライドチャンバが設置され、前記環状スライドチャンバの上下端壁にはいずれも前記環状スライドチャンバに連通している環状リミットチャンバが設置され、前記環状スライドチャンバの中には前記環状スライドチャンバにより切断された上下二つの部分の前記支持柱を支持する二つのスライドブロックが設置され、前記スライドブロックの上下両端にはいずれも一端が前記環状リミットチャンバの中に位置しているリミットブロックが設置され、前記発条軸には前記環状スライドチャンバを貫通しており、且つ前記収納チャンバの中に位置している二本の伝動ロッドが固定的に連結され、上側の前記環状リミットチャンバの上端壁の中には四つの電磁チャンバが設置され、前記電磁チャンバの中には電磁ロッドが設置され、下側の前記環状リミットチャンバの下端壁の中には前記電磁ロッドと互いに吸引できることにより上下二つの部分の前記支持柱を相対的に固定する四つの電磁ブロックが設置され、その作用は前記ケース蓋を開けた後、前記旋転機構と前記回転機構との作動し合いによりケースにあるネックレスを明かりで照らすのであり、
前記旋転機構はまた、前記環状昇降チャンバの中に位置しており、且つ彩光を生じることができる四つのランプを含み、前記環状昇降チャンバの中には前記ランプを支持できる環状昇降板が設置され、前記ランプの下端には前記環状昇降板と連結されている連結柱が設置され、前記環状昇降板の中には下方へ開口した環状移動チャンバが設置され、前記環状昇降板の下端には前記環状昇降板を連動させて復帰させることができる四つの昇降ばねが設置され、前記環状昇降チャンバの下端壁には環状従動チャンバが設置され、前記収納チャンバの中には前記円筒と連結されているリング板が設置され、前記リング板が前記支持柱とスライドできるように連結され、且つ前記リング板が前記伝動ロッドの一端と固定的に連結され、前記旋転機構の作用は、前記ケース蓋を開けた後、前記ランプを前記環状昇降チャンバから離れさせ、且つ前記回転機構の制御のもとで前記ランプを回転させることであり、
前記回転機構はまた前記発条軸の下端と連結される回転板を含み、前記回転板の右端には右方へ開口したリミット溝が設置され、前記回転溝の右端壁には左方へ開口した水平移動チャンバが設置され、前記水平移動チャンバの下端壁には下方へ開口した水平移動溝が設置され、前記水平移動チャンバの中には左端が前記リミット溝の中に位置しており、且つ前記回転板の回転を制限する水平移動ロッドが設置され、前記水平移動ロッドの右端には下端が前記水平移動溝の中に位置している水平移動ブロックが設置され、前記収納チャンバの下端壁には上へ開口しており、且つ前記環状従動チャンバに連通している制限溝が設置され、前記制限溝の中には上端が前記環状従動チャンバを貫通しており、且つ前記環状移動チャンバの中に位置している制限ロッドが設置され、前記制限ロッドの上端には移動ブロックが設置され、前記制限ロッドの下端には下端が前記水平移動ロッドの右端と連結されているロープが設置され、その作用は前記旋転機構の回転に動力を提供することであることを特徴とするネックレスラッピングケース。